(57)【要約】【課題】共用アンテナを用いる場合、チューナを含む受信本体側とアンテナアンプとの間の信号線数を少なくし、この信号線群の配線作業を容易にすること。【解決手段】アンテナアンプ１０Ａは、共用アンテナ２に接続され、スイッチ４側出力とＦＭフィルタ５側出力とに切り替えるスイッチ３と、アンテナ１およびスイッチ３に接続され、アンテナ１からの受信信号とスイッチ２からの出力信号とを切り替えてＴＶフィルタ６側に出力するスイッチ４と、チューナ２０から入力されるＴＶ信号に対するダイバーシチ切替信号Ｓ２をモニタし、ダイバーシチ切替信号Ｓ２が検出された場合に連動してスイッチ３をスイッチ４側に切り替えるダイバーシチ信号検出回路１２を有する。【選択図】      図１
2004172884.tif 000002
【特許請求の範囲】
【請求項１】
第１の周波数帯域信号を受信する第１アンテナと第１の周波数帯域信号および第２の周波数帯域信号を受信する第２アンテナとが接続され、前記第１の周波数帯域信号を増幅する第１増幅回路と前記第２の周波数帯域信号を増幅する第２増幅回路とを備え、増幅された第１および第２の周波数帯域信号を、チューナを有する受信側本体に出力するアンテナアンプにおいて、
前記第２アンテナに接続され、前記第１増幅回路側出力と前記第２増幅回路側出力とに切り替える第１スイッチと、
前記第１アンテナおよび前記第１スイッチの第１増幅回路側出力に接続され、前記第１アンテナからの受信信号と前記第１スイッチの第１増幅回路側出力とを切り替えて前記第１増幅回路に出力する第２スイッチと、
前記受信側本体から入力され前記第２スイッチの切替指示である前記第１の周波数帯域信号に対するダイバーシチ切替信号をモニタし、該ダイバーシチ切替信号が検出された場合に連動して前記第１スイッチを前記第２スイッチ側に切り替える第１切替回路と、
を備えたことを特徴とするアンテナアンプ。
【請求項２】
前記ダイバーシチ切替信号をモニタし、前記ダイバーシチ切替信号が同一切替状態を所定期間保持するための間引き状態となった場合に、前記第１スイッチを前記第２スイッチ側に切り替える第２切替回路をさらに備えたことを特徴とする請求項１に記載のアンテナアンプ。
【請求項３】
第１の周波数帯域信号を受信する第１アンテナと第１の周波数帯域信号および第２の周波数帯域信号を受信する第２アンテナとが接続され、前記第１の周波数帯域信号を増幅する第１増幅回路と前記第２の周波数帯域信号を増幅する第２増幅回路とを備え、増幅された第１および第２の周波数帯域信号を、チューナを有する受信側本体に出力するアンテナアンプにおいて、
前記第２アンテナに接続され、前記第１増幅回路側出力と前記第２増幅回路側出力とに切り替える第１スイッチと、
前記第１アンテナおよび前記第１スイッチの第１増幅回路側出力に接続され、前記第１アンテナからの受信信号と前記第１スイッチの第１増幅回路側出力とを切り替えて前記第１増幅回路に出力する第２スイッチと、
を備え、
前記第２スイッチは、前記受信側本体から入力される前記第１の周波数帯域信号に対するダイバーシチ切替信号をもとに切り替えられ、
前記第１スイッチは、前記受信側本体から入力され、前記ダイバーシチ切替信号に連動して前記第２スイッチ側に切り替え、かつ前記ダイバーシチ切替信号が同一切替状態を所定期間保持するための間引き信号となった場合にこの間引き信号に連動して前記第２スイッチ側に切り替える切替信号をもとに切り替えられることを特徴とするアンテナアンプ。
【請求項４】
前記第１切替回路または前記第２切替回路は、充放電回路であり、該充放電回路によって所定時間、切替状態を保持することを特徴とする請求項１または２に記載のアンテナアンプ。
【請求項５】
前記第１増幅回路および前記第２増幅回路は、
前記第１の周波数帯域信号をフィルタリングする第１フィルタと、
前記第２の周波数帯域信号をフィルタリングする第２フィルタと、
前記第１フィルタおよび前記第２フィルタから出力された信号を増幅する共有アンプと、
を備えたことを特徴とする請求項１〜４のいずれか一つに記載のアンテナアンプ。
【請求項６】
前記第１の周波数帯域信号は、テレビジョン信号の帯域信号であり、
前記第２の周波数帯域信号は、ＦＭ放送信号の帯域信号であり、
前記ＦＭ放送信号は、ＶＩＣＳ信号を含むことを特徴とする請求項１〜５のいずれか一つに記載のアンテナアンプ。
【請求項７】
前記ダイバーシチ切替信号は、シリアル信号であることを特徴とする請求項１〜６のいずれか一つに記載のアンテナアンプ。
【請求項８】
前記ダイバーシチ切替信号は、可変長ビットのシリアル信号であることを特徴とする請求項７に記載のアンテナアンプ。
【請求項９】
前記ダイバーシチ切替信号は、パラレル信号であることを特徴とする請求項１〜６のいずれか一つに記載のアンテナアンプ。
【請求項１０】
前記ダイバーシチ切替信号は、サイクリック制御信号であることを特徴とする請求項１〜６のいずれか一つに記載のアンテナアンプ。
【請求項１１】
前記第１切替回路または前記第２切替回路は、シリアル信号を検出する回路、前記可変長のシリアル信号を検出する回路、前記パラレル信号を検出する回路、または前記サイクリック制御信号を検出する回路のうちの複数の回路を備えたことを特徴とする請求項３〜１０のいずれか一つに記載のアンテナアンプ。
【請求項１２】
請求項１〜１１のいずれか一つに記載のアンテナアンプと、
前記アンテナアンプに接続され、前記第１の周波数帯域信号の選択受信を行う第１チューナ、前記第２の周波数帯域信号の選択受信を行う第２チューナ、および前記第１の周波数帯域信号の受信指示を受けた場合に前記ダイバーシチ切替信号を前記アンテナアンプに少なくとも出力する切替制御手段を有した受信側本体と、
を備えたことを特徴とする受信システム。
【発明の詳細な説明】
【０００１】
【発明の属する技術分野】
この発明は、アンテナの近傍に設置されるアンテナアンプおよびこれを用いた受信システムに関し、特に車載用に好適なアンテナアンプおよび受信システムに関するものである。
【０００２】
【従来の技術】
近年におけるカーナビゲーションシステムの進展はめざましく、ＧＰＳ（全地球測位システム：Ｇｌｏｂａｌ  Ｐｏｓｉｔｉｏｎｉｎｇ  Ｓｙｓｔｅｍ）、ＩＴＳ（高度道路交通システム：Ｉｎｔｅｌｌｉｇｅｎｔ  Ｔｒａｎｓｐｏｒｔ  Ｓｙｓｔｅｍ）、ＶＩＣＳ（道路交通情報通信システム：Ｖｅｈｉｃｌｅ  Ｉｎｆｏｒｍａｔｉｏｎ  Ｃｏｍｍｕｎｉｃａｔｉｏｎ  Ｓｙｓｔｅｍ）の発達と相まって、益々利用価値、付加価値の高い情報を得ることができるようになっている。
【０００３】
このような車両には、様々な周波数帯域の受信信号を受信できるシステムが要望されており、アンテナ近傍に設けられたアンテナアンプの小型化が実現されて以来、アンテナアンプを用いた受信システムが普及している。
【０００４】
図９は、従来のアンテナアンプを含む受信システムの一部構成を示すブロック図である。図９において、この受信システムは、ＶＩＣＳ情報を含むＦＭ放送信号を受信するアンテナ１０２と、複数のテレビジョン放送信号を受信できるアンテナ１０１−１，１０１−２とが接続されたアンテナアンプ１００と、このアンテナアンプ１００に接続されたチューナ２００とを有する。
【０００５】
アンテナアンプ１００は、ＦＭアンプ１０３を有し、ＦＭアンプ１０３は、アンテナ１０２によって受信したＶＩＣＳ情報を含むＦＭ放送信号を増幅し、信号Ｓ１０１としてチューナ２００のＦＭチューナ２０１に出力する。ＦＭ／ＶＩＣＳ分離回路２０２は、ＦＭチューナ２０１から出力された信号からＦＭ音声信号Ｓ２０１とＶＩＣＳ情報信号Ｓ２０２とに分離して出力する。また、アンテナアンプ１００は、ＴＶアンプ１０５を有し、ＴＶアンプ１０５は、スイッチ１０４によってアンテナ１０１−１，１０１−２のいずれか一方が選択された受信信号を増幅し、信号Ｓ１０２としてチューナ２００のＴＶチューナ２０３に出力する。ＴＶチューナ２０３は、選択受信された信号をテレビジョン信号Ｓ２０３として出力する。ここで、チューナ２００の制御部Ｃ１は、ダイバー切替制御部Ｃ１ａを有し、ダイバー切替制御部Ｃ１は、信号Ｓ１０２をモニタし、スイッチ１０４の切替制御によって、受信電界強度の高い受信出力をもつアンテナ１０１−１，１０１−２のいずれか一方を選択受信するダイバーシチ制御を行う。
【０００６】
一方、複数の周波数帯域信号の受信やダイバーシチ受信を行うために、車載されるアンテナの数は多くなり、これに伴うアンテナの取付作業や配線作業が繁雑かつ困難なものとなる傾向にある。このため、複数の周波数帯域信号の受信が可能な共用アンテナを設け、ＦＭ放送信号の受信時にはＦＭ受信機側に切替出力し、テレビジョン放送信号の受信時にはテレビジョン受信機側に切替出力させて、車載されるアンテナの数を減少させるものがある（特許文献１参照）。
【０００７】
【特許文献１】
特開平１０−３２５２８号公報
【０００８】
【発明が解決しようとする課題】
ところで、アンテナアンプを用いて共用アンテナの切替制御を行うことによって、アンテナアンプおよびダイバーシチ受信による受信感度の向上と車載されるアンテナ本数の減少とを図ることができる受信システムを構築することができる。
【０００９】
この場合、アンテナアンプ側に共用アンテナの切替を行う切替スイッチを設け、このスイッチの制御を行う必要があるとともに、ダイバーシチ受信の切替スイッチの制御を行う必要がある。
【００１０】
しかしながら、これらの切替制御を行う場合、受信本体側からこれらの切替制御のための信号を伝送する信号線を、アンテナアンプと受信本体との間に設ける必要がある。アンテナアンプと受信本体との間は、その他、アンテナアンプによって増幅された受信信号の信号線、電源線やアース線も設ける必要があり、これら信号線の増大は、アンテナアンプと本体との間のケーブル構成を複雑にし、またケーブル群の重量がかさみ、配線作業が困難になるという問題点があった。
【００１１】
また、アンテナアンプと受信本体との間の電気的距離が長い場合、信号線の増大に伴って、各信号線を伝送する信号を伝達するための送信回路や受信回路を各別に設ける必要があり、この場合、アンテナアンプまたは受信本体の構成を複雑にするという問題点があった。
【００１２】
この発明は上記に鑑みてなされたもので、共用アンテナを用いる場合、チューナを含む受信本体側とアンテナアンプとの間の信号線数を少なくし、この信号線群の配線作業を容易にすることができるアンテナアンプおよび受信システムを提供することを目的とする。
【００１３】
【課題を解決するための手段】
上記目的を達成するため、請求項１にかかるアンテナアンプは、第１の周波数帯域信号を受信する第１アンテナと第１の周波数帯域信号および第２の周波数帯域信号を受信する第２アンテナとが接続され、前記第１の周波数帯域信号を増幅する第１増幅回路と前記第２の周波数帯域信号を増幅する第２増幅回路とを備え、増幅された第１および第２の周波数帯域信号を、チューナを有する受信側本体に出力するアンテナアンプにおいて、前記第２アンテナに接続され、前記第１増幅回路側出力と前記第２増幅回路側出力とに切り替える第１スイッチと、前記第１アンテナおよび前記第１スイッチの第１増幅回路側出力に接続され、前記第１アンテナからの受信信号と前記第１スイッチの第１増幅回路側出力とを切り替えて前記第１増幅回路に出力する第２スイッチと、前記受信側本体から入力され前記第２スイッチの切替指示である前記第１の周波数帯域信号に対するダイバーシチ切替信号をモニタし、該ダイバーシチ切替信号が検出された場合に連動して前記第１スイッチを前記第２スイッチ側に切り替える第１切替回路とを備えたことを特徴とする。
【００１４】
この請求項１の発明によれば、前記第２アンテナに接続され、前記第１増幅回路側出力と前記第２増幅回路側出力とに切り替える第１スイッチと、前記第１アンテナおよび前記第１スイッチの第１増幅回路側出力に接続され、前記第１アンテナからの受信信号と前記第１スイッチの第１増幅回路側出力とを切り替えて前記第１増幅回路に出力する第２スイッチとを有し、第１切替回路が、前記受信側本体から入力され前記第２スイッチの切替指示である前記第１の周波数帯域信号に対するダイバーシチ切替信号をモニタし、該ダイバーシチ切替信号が検出された場合に連動して前記第１スイッチを前記第２スイッチ側に切り替えるようにし、アンテナアンプと受信本体との間の信号線数を減少し、さらには信号線ケーブルの重量を減少させることができる。
【００１５】
また、請求項２にかかるアンテナアンプは、上記の発明において、前記ダイバーシチ切替信号をモニタし、前記ダイバーシチ切替信号が同一切替状態を所定期間保持するための間引き状態となった場合に、前記第１スイッチを前記第２スイッチ側に切り替える第２切替回路をさらに備えたことを特徴とする。
【００１６】
この請求項２の発明によれば、第２切替回路が、前記ダイバーシチ切替信号をモニタし、前記ダイバーシチ切替信号が同一切替状態を所定期間保持するための間引き状態となった場合に、前記第１スイッチを前記第２スイッチ側に切り替えるようにしている。
【００１７】
また、請求項３にかかるアンテナアンプは、上記の発明において、第１の周波数帯域信号を受信する第１アンテナと第１の周波数帯域信号および第２の周波数帯域信号を受信する第２アンテナとが接続され、前記第１の周波数帯域信号を増幅する第１増幅回路と前記第２の周波数帯域信号を増幅する第２増幅回路とを備え、増幅された第１および第２の周波数帯域信号を、チューナを有する受信側本体に出力するアンテナアンプにおいて、前記第２アンテナに接続され、前記第１増幅回路側出力と前記第２増幅回路側出力とに切り替える第１スイッチと、前記第１アンテナおよび前記第１スイッチの第１増幅回路側出力に接続され、前記第１アンテナからの受信信号と前記第１スイッチの第１増幅回路側出力とを切り替えて前記第１増幅回路に出力する第２スイッチとを備え、前記第２スイッチは、前記受信側本体から入力される前記第１の周波数帯域信号に対するダイバーシチ切替信号をもとに切り替えられ、前記第１スイッチは、前記受信側本体から入力され、前記ダイバーシチ切替信号に連動して前記第２スイッチ側に切り替え、かつ前記ダイバーシチ切替信号が同一切替状態を所定期間保持するための間引き信号となった場合にこの間引き信号に連動して前記第２スイッチ側に切り替える切替信号をもとに切り替えられることを特徴とする。
【００１８】
この請求項３の発明によれば、前記第２アンテナに接続され、前記第１増幅回路側出力と前記第２増幅回路側出力とに切り替える第１スイッチと、前記第１アンテナおよび前記第１スイッチの第１増幅側出力に接続され、前記第１アンテナからの受信信号と前記第１スイッチの第１増幅側出力とを切り替えて前記第１増幅回路に出力する第２スイッチとを有し、前記第２スイッチが、前記受信側本体から入力される前記第１の周波数帯域信号に対するダイバーシチ切替信号をもとに切り替えられ、前記第１スイッチが、前記受信側本体から入力され、前記ダイバーシチ切替信号に連動して前記第２スイッチ側に切り替え、かつ前記ダイバーシチ切替信号が同一切替状態を所定期間保持するための間引き信号となった場合にこの間引き信号に連動して前記第２スイッチ側に切り替える切替信号をもとに切り替えられるようにしている。
【００１９】
また、請求項４にかかるアンテナアンプは、上記の発明において、前記第１切替回路または前記第２切替回路は、充放電回路であり、該充放電回路によって所定時間、切替状態を保持することを特徴とする。
【００２０】
この請求項４の発明によれば、前記第１切替回路または前記第２切替回路を、充放電回路とし、この充放電回路によって所定時間、切替状態を保持させるようにし、これによって、前記第１切替回路または前記第２切替回路の回路を簡易な構成とすることができる。
【００２１】
また、請求項５にかかるアンテナアンプは、上記の発明において、前記第１増幅回路および前記第２増幅回路は、前記第１の周波数帯域信号をフィルタリングする第１フィルタと、前記第２の周波数帯域信号をフィルタリングする第２フィルタと、前記第１フィルタおよび前記第２フィルタから出力された信号を増幅する共有アンプとを備えたことを特徴とする。
【００２２】
この請求項５の発明によれば、前記第１増幅回路および前記第２増幅回路を、前記第１の周波数帯域信号が第１フィルタを介してフィルタリングされ、前記第２の周波数帯域信号が第２のフィルタを介してフィルタリングされ、それぞれの信号が１つの共用アンプによって増幅され、１出力として受信本体側に出力されるようにし、アンテナアンプと受信本体との間の信号線数をさらに減少させるようにしている。
【００２３】
また、請求項６にかかるアンテナアンプは、上記の発明において、前記第１の周波数帯域信号は、テレビジョン信号の帯域信号であり、前記第２の周波数帯域信号は、ＦＭ放送信号の帯域信号であり、前記ＦＭ放送信号は、ＶＩＣＳ信号を含むことを特徴とする。
【００２４】
この請求項６の発明によれば、前記第１の周波数帯域信号を、テレビジョン信号の帯域信号とし、前記第２の周波数帯域信号を、ＦＭ放送信号の帯域信号とし、前記ＦＭ放送信号には、ＶＩＣＳ信号を含むようにし、映像信号の受信困難な状態をダイバーシチ受信によって克服している。
【００２５】
また、請求項７にかかるアンテナアンプは、上記の発明において、前記ダイバーシチ切替信号は、シリアル信号であることを特徴とする。
【００２６】
この請求項７の発明によれば、前記ダイバーシチ切替信号を、シリアル信号としている。
【００２７】
また、請求項８にかかるアンテナアンプは、上記の発明において、前記ダイバーシチ切替信号は、可変長ビットのシリアル信号であることを特徴とする。
【００２８】
この請求項８の発明によれば、前記ダイバーシチ切替信号を、可変長ビットのシリアル信号としている。
【００２９】
また、請求項９にかかるアンテナアンプは、上記の発明において、前記ダイバーシチ切替信号は、パラレル信号であることを特徴とする。
【００３０】
この請求項９の発明によれば、前記ダイバーシチ切替信号を、パラレル信号としている。
【００３１】
また、請求項１０にかかるアンテナアンプは、上記の発明において、前記ダイバーシチ切替信号は、サイクリック制御信号であることを特徴とする。
【００３２】
この請求項１０の発明によれば、前記ダイバーシチ切替信号を、サイクリック制御信号としている。
【００３３】
また、請求項１１にかかるアンテナアンプは、上記の発明において、前記第１切替回路または前記第２切替回路は、シリアル信号を検出する回路、前記可変長のシリアル信号を検出する回路、前記パラレル信号を検出する回路、または前記サイクリック制御信号を検出する回路のうちの複数の回路を備えたことを特徴とする。
【００３４】
この請求項１１の発明によれば、前記第１切替回路または前記第２切替回路が、シリアル信号を検出する回路、前記可変長のシリアル信号を検出する回路、前記パラレル信号を検出する回路、または前記サイクリック制御信号を検出する回路のうちの複数の回路を備えるようにしている。
【００３５】
また、請求項１２にかかる受信システムは、請求項１〜１１のいずれか一つに記載のアンテナアンプと、前記アンテナアンプに接続され、前記第１の周波数帯域信号の選択受信を行う第１チューナ、前記第２の周波数帯域信号の選択受信を行う第２チューナ、および前記第１の周波数帯域信号の受信指示を受けた場合に前記ダイバーシチ切替信号を前記アンテナアンプに少なくとも出力する切替制御手段を有した受信側本体とを備えたことを特徴とする。
【００３６】
この請求項１２の発明によれば、請求項１〜１１のいずれか一つに記載のアンテナアンプを備え、受信側本体に、前記アンテナアンプに接続され、前記第１の周波数帯域信号の選択受信を行う第１チューナ、前記第２の周波数帯域信号の選択受信を行う第２チューナ、および前記第１の周波数帯域信号の受信指示を受けた場合に前記ダイバーシチ切替信号を前記アンテナアンプに少なくとも出力する切替制御手段を設けるようにしている。
【００３７】
【発明の実施の形態】
以下に添付図面を参照して、この発明にかかるアンテナアンプおよび受信システムの好適な実施の形態を詳細に説明する。
【００３８】
（実施の形態１）
図１は、この発明の実施の形態１であるアンテナアンプを含む受信システムの一部構成を示すブロック図である。この受信システムは、車載用の受信システムであり、ＶＩＣＳ情報信号を含むＦＭ放送信号（ＦＭ−ＶＩＣＳ信号）とテレビジョン信号（ＴＶ信号）とを受信することができる。この受信システムは、ＴＶ信号を受信するアンテナ１と、ＴＶ信号およびＦＭ−ＶＩＣＳ信号を受信するアンテナ２と、アンテナ１，２から受信された信号を増幅するアンテナアンプ１０Ａと、アンテナアンプ１０Ａから入力された信号を選択受信するチューナ２０とを有する。
【００３９】
アンテナアンプ１０Ａは、スイッチ３，４を有する。スイッチ３は、入力端にアンテナ２が接続され、一つの出力端がＦＭ−ＶＩＣＳ信号をフィルタリングするＦＭフィルタ５に接続され、他の出力端がスイッチ４の入力端Ｔ２に接続され、アンテナ２から入力された信号をＦＭフィルタ５あるいはスイッチ４側に切替出力する。スイッチ４は、入力端Ｔ１にアンテナ１が接続され、出力端にＴＶ信号をフィルタリングするＴＶフィルタ６に接続され、アンテナ２を介したＴＶ信号あるいはアンテナ１を介してＴＶ信号を選択し、ＴＶフィルタ６側に切替出力する。
【００４０】
アンテナアンプ１０Ａは、さらに共用アンプ７を有し、共用アンプ７は、ＦＭフィルタ５から入力されるＦＭ−ＶＩＣＳ信号およびＴＶフィルタ６から出力されるＴＶ信号を増幅し、信号Ｓ１としてチューナ２０側に出力する。
【００４１】
また、アンテナアンプ１０Ａは、ダイバー切替回路１１、ダイバー信号検出回路１２、ダイバー間引き信号検出回路１３、およびオア回路１４を有する。アンテナアンプ１０Ａには、チューナ２０側からＴＶ信号のダイバーシチ受信切替を指示するダイバーシチ切替信号Ｓ２が入力され、ダイバー切替回路１１、ダイバー信号検出回路１２、およびダイバー間引き信号検出回路１３に入力される。
【００４２】
ダイバー切替回路１１は、入力されたダイバーシチ切替信号Ｓ２を検出し、スイッチ４に対して、指示されたアンテナ１あるいはアンテナ２の切替を実行する。ダイバー信号検出回路１２は、入力されたダイバーシチ切替信号Ｓ２をモニタし、ダイバーシチ切替信号Ｓ２を検出した場合、この検出に連動して、スイッチ３をスイッチ４側に切り替える制御を行う。なお、スイッチ３はデフォルト状態では、ＦＭフィルタ５側に切り替えられている。
【００４３】
ダイバー間引き信号検出回路１３は、ダイバーシチ切替信号Ｓ２をモニタし、ダイバーシチ切替信号が間引き状態を示す間引き信号である場合、この間引き信号に連動して、この間引き状態の間、スイッチ３をスイッチ４側に切り替える制御を行う。ここで、間引き状態とは、ダイバーシチ切替信号Ｓ２の切替が同じアンテナを所定期間、連続して選択した場合に、ダイバーシチ切替信号Ｓ２が間引かれて送出される状態をいう。したがって、間引き状態のとき、ＴＶ信号の受信状態であるにもかかわらず、ダイバー信号検出回路１２は、スイッチ３をスイッチ４に切り替えることができない。このため、ダイバー間引き信号検出回路１３がこの間引き状態を検出し、間引き状態の間は、スイッチ３をスイッチ４に切り替える制御を行う。ここで、ダイバー信号検出回路１２およびダイバー間引き信号検出回路１３の出力は、オア回路１４を介してスイッチ３に入力される。したがって、少なくとも、ダイバー信号検出回路１２あるいはダイバー間引き信号検出回路１４の一方からの出力があれば、スイッチ３はスイッチ４側に切り替えられ、アンテナ２は、ＴＶ信号のダイバーシチ受信アンテナとして用いられる。
【００４４】
一方、チューナ２０は、ＦＭチューナ２１およびＴＶチューナ２３を有する。ＦＭチューナ２１は、増幅された信号Ｓ１を受信し、ＦＭ−ＶＩＣＳ信号を選択受信する。ＦＭ／ＶＩＣＳ分離回路２２は、受信したＦＭ−ＶＩＣＳ信号を、ＦＭ音声信号ＳＳ１とＶＩＣＳ情報信号ＳＳ２とに分離して出力する。ＴＶチューナ２３は、増幅された信号Ｓ１を受信し、ＴＶ信号ＳＳ３、すなわち映像信号と音声信号とを出力する。
【００４５】
チューナ２０は、制御部Ｃをさらに有し、制御部Ｃは、入力された制御信号ＳＳ４をもとにＦＭチューナ２１およびＴＶチューナ２３を制御するとともに、ＴＶ信号を受信する場合は、ダイバー切替制御部Ｃａによって、ダイバーシチ切替信号Ｓ２をアンテナアンプ１０Ａ側に送出する。ダイバー切替制御部Ｃａは、検出期間にアンテナ１，２からの受信電界強度をモニタし、実行期間に、この受信電界強度の大きい方のアンテナに所定期間切り替える指示を行う。なお、間引き状態となった場合には間引き信号としてダイバーシチ切替信号を間欠的に出力する。
【００４６】
ここで、増幅された信号Ｓ１はチューナ２０側に送出され、ダイバーシチ切替信号Ｓ２はチューナ２０側から入力されるが、その他、アンテナアンプ１０Ａとチューナ２０との間には、電源供給のための電源ラインＬ３およびアースラインＬ４が配線されている。すなわち、ここでの信号線は、本来ならば、ダイバー信号検出回路１２およびダイバー間引き信号検出回路１３から出力されるスイッチ３への切替信号がチューナ２０側から信号線を設けて送られるが、この実施の形態１では、この２つの信号線を設ける必要がないため、アンテナアンプ１０Ａとチューナ２０との間の信号線を２つ減らすことができ、軽量化を図ることができるとともに、配線時の回線数が少ないため、配線作業が容易になる。また、共用アンプ７を用いて、ＦＭ−ＶＩＣＳ信号およびＴＶ信号を一つの信号線を介してチューナ２０側に伝送しているため、これによっても、信号線数の減少を図ることができ、配線作業が一層、容易になる。
【００４７】
ここで、図２に示すタイムチャートをもとに、ダイバー信号検出回路１２によるスイッチ３の切替制御について具体的に説明する。図２（ａ）に示すように、ダイバーシチ切替信号Ｓ２は、２ビット並列信号であり、信号Ｓ２ａがオンで信号Ｓ２ｂがオフのとき、アンテナ１を選択し、信号Ｓ２ａがオフで信号Ｓ２ｂがオンのとき、スイッチ３を介してアンテナ２を選択する。間引き状態でない場合、ダイバーシチ切替信号Ｓ２は、期間ｔ１の周期をもち、周期ｔ１は、検出期間ｔ２と実行期間ｔ３とを有する。検出期間ｔ２時にスイッチ４に対する切替を順次行わせ、各アンテナの受信電界強度を測定し（図２（ｂ））、実行期間ｔ３の最初に大きな受信電界強度を有するアンテナを選択する切替指示を出力する。図２（ｂ）では、アンテナ１からの受信電界強度が大きいため、その後実行期間ｔ３においてアンテナ１が選択されている。このダイバーシチ切替信号Ｓ２を受信したダイバー切替回路１１は、切替信号Ｄ１によってスイッチ４を制御し、ダイバーシチ切替信号Ｓ２に対応した切替制御を行う（図２（ｃ））。
【００４８】
ダイバー信号検出回路１２は、このダイバーシチ切替信号Ｓ２をモニタし、所定期間、たとえば周期ｔ１の期間内にダイバーシチ切替信号が入力された場合、スイッチ３を端子ＴＴ側、すなわちスイッチ４側に切り替え、アンテナ２をＴＶ信号受信時のアンテナとして用いるようにする切替信号Ｄ２１をオア回路１４に出力し、切替信号Ｄ２として出力する（図２（ｄ））。
【００４９】
ここで、時点ｔｔ２において、ダイバーシチ切替信号Ｓ２が検出されない場合、ダイバー信号検出回路１２は、スイッチ３を端子ＴＦ側に切り替える指示を行う（図２（ｅ））。これは、ダイバーシチ切替信号を受信しない場合、ＴＶ信号の受信指示がないと判断されるためであり、アンテナ２がＦＭ−ＶＩＣＳ信号の受信に用いるデフォルト状態に切り替えられる。
【００５０】
つぎに、図３に示すタイムチャートをもとに、ダイバー間引き信号検出回路１３によるスイッチ３の切替制御について説明する。上述したように、ダイバーシチ切替信号Ｓ２は、ＴＶ信号の受信時に、周期ｔ１で繰り返し出力される。ここで、同じアンテナが所定回数周期連続して選択されると、ダイバー切替制御部Ｃａは、この選択されたアンテナの受信状態が安定していると判断され、期間ｔｂ間、ダイバーシチ切替信号Ｓ２を送出せず、この切替状態を維持する。この場合、ダイバー信号検出回路１２は、ダイバーシチ切替信号Ｓ２を周期ｔ１を超えて受信しない状態となるため、スイッチ３を端子ＴＴ側に維持する切替信号Ｄ２１を送出しない。このため、ダイバー間引き信号検出回路１３は、同じアンテナが所定回数周期連続で選択された状態を検出した場合、期間ｔｂの間、周期ｔ１毎に間引き検出信号Ｄ２２をスイッチ３に送出し、端子ＴＴ側への切替を維持させる（図３（ｂ））。これによって、間引き状態であっても、ＴＶ信号のダイバーシチ受信を確実に行うことができる。ここで、その後、ダイバーシチ切替信号Ｓ２が他のアンテナの選択切替を指示した場合、間引き状態は解除される。
【００５１】
つぎに、ダイバー信号検出回路１２の詳細構成について説明する。図４は、ダイバー信号検出回路１２の一例を示す回路図である。図４に示したダイバー信号検出回路１２は、充放電回路を用いたものである。図５は、図４に示したダイバーシチ信号検出回路においてダイバーシチ切替信号が入力されたときの動作を示すタイムチャートである。図４において、端子Ｔ３１，Ｔ３２に、図５（ａ）に示した並列２ビットのダイバーシチ切替信号Ｓ２が入力されると、コンデンサＣ３０の他端の電位が上昇し、コンデンサＣ３０に電荷が蓄積（充電）される。その後、コンデンサＣ３０および抵抗Ｒ３１の時定数によってコンデンサＣ３０の電荷が放電し、コンデンサＣ３０の他端の電位すなわち電圧Ｖｓが減少する。ここで、電圧Ｖｓは、電圧Ｖから抵抗Ｒ３０分に相当する電圧降下分だけ、低い値で飽和する。
【００５２】
電圧Ｖｓは、新たなダイバーシチ切替信号Ｓ２の入力がない限り充電されず、放電をし、比較器３０において電圧Ｖｓと基準電圧Ｖｒｅｆとが比較され、電圧Ｖｓが基準電圧Ｖｒｅｆを超える場合は、ダイバーシチ切替信号Ｓ２を受信している状態であると判断し、スイッチ３を端子ＴＴ側に切り替え、電圧Ｖｓが基準電圧Ｖｒｅｆ以下となった段階で、ダイバーシチ切替信号Ｓ２が受信されないと判断し、スイッチ３のデフォルトの位置である端子ＴＦ側に切り替え、アンテナ２をＦＭ−ＶＩＣＳ信号の受信に用いる。
【００５３】
図４に示した充放電回路を用いたダイバーシチ信号検出回路１２をアンテナアンプ１０Ａに適用することによって、アンテナアンプ１０Ａの構成が簡易となり、小型軽量化を図ることができる。なお、ダイバー間引き信号検出回路１３も同様な構成によって実現することができる。この場合、必要な特性を得るために、充放電回路の充放電定数を適宜変更する必要がある。また、ダイバー信号検出回路１２およびダイバー間引き信号検出回路１３の検出回路を共通構造としてもよい。さらに、上述した充放電回路を用いず、たとえばプログラム的に制御を行ってもよい。また、ダイバー信号検出回路１２およびダイバー間引き信号検出回路１３は、タイマを用いて構成してもよい。
【００５４】
ところで、上述した実施の形態１では、ＴＶ信号を受信する場合、アンテナ１とアンテナ２とを用いたダイバーシチ受信を行うようにしていたが、たとえば、図６に示すように、ＴＶ信号の受信を３本以上のアンテナを用いたダイバーシチ受信を行うようにしてよい。これによって、さらに良好なＴＶ信号の良好な受信を行うことができる。
【００５５】
この場合、スイッチ４に対応するスイッチ４ａは、スイッチ３を介したアンテナ２とアンテナ１−１，１−２との３つのアンテナの切替を行うようにすればよい。この場合、ダイバー切替制御回路Ｃａは、３つのアンテナ２，１−１，１−２の切替制御を行い、ダイバーシチ切替信号Ｓ２も、３つのアンテナ２．１−１，１−２に対する切替指示を行う信号となる。
【００５６】
また、図７に示すように、ＴＶ信号およびＦＭ−ＶＩＣＳ信号を受信する共用のアンテナ２を複数設けるようにしてもよい。図７では、アンテナ２−１，２−２の２本のアンテナを設けている。この場合、ＦＭ−ＶＩＣＳ信号に対してもダイバーシチ受信をすることが好ましく、スイッチ３ａをスイッチ３の前段に設け、スイッチ３ａの２つの入力端にアンテナ２−１，２−２を接続し、出力端をスイッチ３の入力端に接続する。ここで、ＦＭ−ＶＩＣＳ信号のダイバーシチ受信を行う場合、ＦＭダイバー切替回路１５をアンテナアンプ１０Ｃ内に設け、ＦＭダイバー切替回路１５が、スイッチ３ａの切替を制御する。なお、ＦＭダイバー切替回路１５は、チューナ２０側に設けたＦＭダイバ切替制御部Ｃｂから送出されるＦＭダイバーシチ切替信号Ｓ５をもとに、ダイバーシチ切替信号Ｓ２と同様にスイッチ３ａを制御する。
【００５７】
なお、図６および図７に示した構成を組み合わせた構成としてもよい。すなわち、ＴＶ信号の受信のみのアンテナを２本以上設け、さらにＴＶ−ＶＩＣＳ信号およびＴＶ信号を受信できる共用のアンテナを２本以上設ける構成としてもよいい。
【００５８】
また、上述した実施の形態１では、ダイバー切替回路１１を設けていたが、そのままダイバーシチ切替信号Ｓ２をスイッチ４の切替信号Ｄ１として用いることができ、かつアンテナアンプ１０Ａとチューナ２０との間の電気的距離が、信号の減衰を許容する範囲であれば、設ける必要がない。
【００５９】
ところで、上述した実施の形態では、ダイバーシチ切替信号Ｓ２を２ビット並列の信号としたが、これに限らず、シリアル信号、可変長ビットのシリアル信号、パラレル信号、サイクリック制御信号としてもよい。シリアル信号を用いた場合、アンテナ数などに応じてビット数を設定でき、またビット数が増えても信号線を増やさなくてもよいという利点がある。可変長ビットのシリアル信号を用いた場合、一機種で様々なアンテナ数のものに対応できるなど、汎用性を高くすることができる。パラレル信号を用いた場合、上述した実施の形態１では２ビットパラレル信号であるが、アンテナ数など、必要に応じてビット数を増やすことができる。サイクリック制御信号とは、実際にはパルス信号であって、次のパルスの入力によって次の状態に移行する切替制御のための信号であり、たとえば、スイッチ３の制御において１パルス受信するごとに、端子ＴＴと端子ＴＦとの切替は交番することになる。
【００６０】
（実施の形態２）
つぎに、この発明の実施の形態２について説明する。上述した実施の形態１では、スイッチの切替に関し、アンテナアンプ１０Ａとチューナ２０との間にダイバーシチ切替信号Ｓ２のみを信号線として接続するようにし、アンテナアンプ１０Ａ側にこのダイバーシチ切替信号Ｓ２をもちいて、ダイバーシチ切替信号Ｓ２の発生に連動したスイッチ３の切替信号を生成するようにしていたが、この実施の形態２では、チューナ２０から直接、アンテナアンプ１０Ｄのスイッチ３，４の切替制御を行うようにしている。この場合、スイッチ３の切替制御は、実施の形態１と同様に、スイッチ４の切替制御に連動する。
【００６１】
図８は、この発明の実施の形態２であるアンテナアンプを含めた受信システムの一部構成を示すブロック図である。図８において、チューナ２０の制御部Ｃは、実施の形態１と同じダイバー切替制御部Ｃａを有し、ダイバーシチ切替信号Ｓ２に対応したダイバーシチ切替信号Ｓ２１を出力する。また、ＴＶ／ＦＭ切替制御部Ｃｂを設ける。このＴＶ／ＦＭ切替制御Ｃｂは、図１に示したダイバー信号検出回路１２、ダイバー間引き信号検出回路およびオア回路１４に相当した回路を有し、切替信号Ｄ２に対応する切替信号Ｓ２２を出力する。
【００６２】
切替信号Ｓ２１，Ｓ２２はそれぞれ個別の信号を介してアンテナアンプ１０Ｄとチューナ２０との間を伝送し、それぞれスイッチ４およびスイッチ３に入力されて切替制御を行う。
【００６３】
この実施の形態２では、チューナ２０からアンテナアンプ１０Ｄのスイッチ３，４を制御するものであるため、実施の形態１に比して信号線数が増大するが、ダイバー間引き信号検出回路から出力される間引き信号に対応した切替信号は設けられないため、従来に比して信号線数を減少させることができ、アンテナアンプ１０Ｄ自体も小型軽量化できる。
【００６４】
【発明の効果】
以上説明したように、請求項１の発明によれば、第１の周波数帯域信号および第２の周波数帯域信号を受信する第２アンテナに接続され、前記第１の周波数帯域信号を増幅する第１増幅回路側出力と前記第２の周波数帯域信号を増幅する第２増幅回路側出力とに切り替える第１スイッチと、第１の周波数帯域信号を受信する第１アンテナおよび前記第１スイッチの第１増幅回路側出力に接続され、前記第１アンテナからの受信信号と前記第１スイッチの第１増幅回路側出力とを切り替えて前記第１増幅回路に出力する第２スイッチとを有し、第１切替回路が、前記受信側本体から入力され前記第２スイッチの切替指示である前記第１の周波数帯域信号に対するダイバーシチ切替信号をモニタし、該ダイバーシチ切替信号が検出された場合に連動して前記第１スイッチを前記第２スイッチ側に切り替えるようにし、アンテナアンプと受信本体との間の信号線数を減少し、さらには信号線ケーブルの重量を減少させることができるので、アンテナアンプの配線作業を容易にすることができ、さらには各信号線に対応する送信回路または受信回路の構成数を減少させることができるので、アンテナアンプを簡易な構成とすることができるという効果を奏する。
【００６５】
また、請求項２の発明によれば、第２切替回路が、前記ダイバーシチ切替信号をモニタし、前記ダイバーシチ切替信号が同一切替状態を所定期間保持するための間引き状態となった場合に、前記第１スイッチを前記第２スイッチ側に切り替えるようにしているので、間引き状態が生成される機能を有する場合であっても、信号線数を増大させずに第１アンテナの切替を確実に行うことができるという効果を奏する。
【００６６】
また、請求項３の発明によれば、前記第２アンテナに接続され、前記第１増幅回路側出力と前記第２増幅回路側出力とに切り替える第１スイッチと、前記第１アンテナおよび前記第１スイッチの第１増幅回路側出力に接続され、前記第１アンテナからの受信信号と前記第１スイッチの第１増幅回路側出力とを切り替えて前記第１増幅回路に出力する第２スイッチとを有し、前記第２スイッチが、前記受信側本体から入力される前記第１の周波数帯域信号に対するダイバーシチ切替信号をもとに切り替えられ、前記第１スイッチが、前記受信側本体から入力され、前記ダイバーシチ切替信号に連動して前記第２スイッチ側に切り替え、かつ前記ダイバーシチ切替信号が同一切替状態を所定期間保持するための間引き信号となった場合にこの間引き信号に連動して前記第２スイッチ側に切り替える切替信号をもとに切り替えられるようにしているので、間引き状態が生成される機能を有する場合であっても、信号線数を増大させずに第１アンテナの切替を確実に行うことができるという効果を奏する。
【００６７】
また、請求項４の発明によれば、前記第１切替回路または前記第２切替回路を、充放電回路とし、この充放電回路によって所定時間、切替状態を保持させるようにし、これによって、前記第１切替回路または前記第２切替回路の回路を簡易な構成とすることができるので、小型軽量化を促進させることができるという効果を奏する。
【００６８】
また、請求項５の発明によれば、前記第１増幅回路および前記第２増幅回路を、前記第１の周波数帯域信号が第１フィルタを介してフィルタリングされ、前記第２の周波数帯域信号が第２のフィルタを介してフィルタリングされ、それぞれの信号が１つの共用アンプによって増幅され、１出力として受信本体側に出力されるようにし、アンテナアンプと受信本体との間の信号線数をさらに減少させるようにしているので、アンテナアンプの配線作業を一層、容易にすることができるという効果を奏する。
【００６９】
また、請求項６の発明によれば、前記第１の周波数帯域信号を、テレビジョン信号の帯域信号とし、前記第２の周波数帯域信号を、ＦＭ放送信号の帯域信号とし、前記ＦＭ放送信号には、ＶＩＣＳ信号を含むようにし、映像信号の受信困難な状態をダイバーシチ受信によって克服しているので、実用的な車載用のアンテナアンプを実現できるという効果を奏する。
【００７０】
また、請求項７の発明によれば、前記ダイバーシチ切替信号を、シリアル信号としているので、柔軟なダイバーシチ信号を用いることができるという効果を奏する。
【００７１】
また、請求項８の発明によれば、前記ダイバーシチ切替信号を、可変長ビットのシリアル信号としているので、柔軟なダイバーシチ信号を用いることができるという効果を奏する。
【００７２】
また、請求項９の発明によれば、前記ダイバーシチ切替信号を、パラレル信号としているので、柔軟なダイバーシチ信号を用いることができるという効果を奏する。
【００７３】
また、請求項１０の発明によれば、前記ダイバーシチ切替信号を、サイクリック制御信号としているので、柔軟なダイバーシチ信号を用いることができるという効果を奏する。
【００７４】
また、請求項１１の発明によれば、前記第１切替回路または前記第２切替回路が、シリアル信号を検出する回路、前記可変長のシリアル信号を検出する回路、前記パラレル信号を検出する回路、または前記サイクリック制御信号を検出する回路のうちの複数の回路を備えるようにしているので、汎用性のあるアンテナアンプを実現できるという効果を奏する。
【００７５】
また、請求項１２の発明によれば、請求項１〜１１のいずれか一つに記載のアンテナアンプを備え、受信側本体に、前記アンテナアンプに接続され、前記第１の周波数帯域信号の選択受信を行う第１チューナ、前記第２の周波数帯域信号の選択受信を行う第２チューナ、および前記第１の周波数帯域信号の受信指示を受けた場合に前記ダイバーシチ切替信号を前記アンテナアンプに少なくとも出力する切替制御手段を設けるようにしているので、請求項１〜１１に示した作用効果を奏する受信システムを実現できるという効果を奏する。
【図面の簡単な説明】
【図１】この発明の実施の形態１であるアンテナアンプを含む受信システムの一部構成を示すブロック図である。
【図２】ダイバー信号検出回路によるスイッチ３の切替制御を示すタイムチャートである。
【図３】間引き信号検出回路によるスイッチ３の切替制御を示すフローチャートである。
【図４】ダイバー信号検出回路の一例を示す回路図である。
【図５】図４に示したダイバーシチ信号検出回路においてダイバーシチ切替信号が入力されたときの動作を示すタイムチャートである。
【図６】３本以上のアンテナを用いてＴＶ信号のダイバーシチ受信を行う場合におけるアンテナアンプを含む受信システムの一部構成を示すブロック図である。
【図７】２本以上の共用のアンテナを用いてＴＶ信号およびＦＭ−ＶＩＣＳ信号のダイバーシチ受信を行う場合におけるアンテナアンプを含む受信アンテナの一部構成を示すブロック図である。
【図８】この発明の実施の形態２であるアンテナアンプを含めた受信システムの一部構成を示すブロック図である。
【図９】従来のアンテナアンプを含む受信システムの一部構成を示すブロック図である。
【符号の説明】
１，２，１−１．１−２，２−１，２−２  アンテナ
３，３ａ，４，４ａ  スイッチ
５  ＦＭフィルタ
６  ＴＶフィルタ
７  共用アンプ
１０Ａ〜１０Ｄ  アンテナアンプ
１１  ダイバー切替回路
１２  ダイバー信号検出回路
１３  ダイバー間引き信号検出回路
１４  オア回路
１５  ＦＭダイバー切替回路
２０  チューナ
２１  ＦＭチューナ
２２  ＦＭ／ＶＩＣＳ分離回路
２３  ＴＶチューナ
Ｃ  制御部
Ｃａ  ダイバー切替制御部
Ｃｂ  ＦＭダイバー切替制御部
Ｔ１，Ｔ２，ＴＴ，ＴＦ  端子
Ｓ１  受信信号
Ｓ２，Ｓ２ａ  ダイバーシチ切替信号
Ｌ３  電源ライン
Ｌ４  アースライン
Ｓ５  ＦＭダイバーシチ切替信号
Ｓ２１，Ｓ２２  切替信号
【図１】
2004172884.tif 000003
【図２】
2004172884.tif 000004
【図３】
2004172884.tif 000005
【図４】
2004172884.tif 000006
【図５】
2004172884.tif 000007
【図６】
2004172884.tif 000008
【図７】
2004172884.tif 000009
【図８】
2004172884.tif 000010
【図９】
2004172884.tif 000011